(57)【要約】      （修正有）【課題】離型紙を剥がすことなくシート破れ部分や家屋の隙間や小穴部分への貼り付け使用が容易に行われる貼り付け用シートを提供する。【解決手段】所定の厚みを持ち内部に織物９が埋設されたオレフィン樹脂シート２よりなり、その一方面の全体に粘着剤付着加工が施されてその加工面上に粘着剤層６が付着され、全体がロール状に巻回される。または、所定の厚みを持ち内部に織物が埋設され、一方面側を塩化ビニール樹脂とし他方面側をオレフィン樹脂とし、一方面の全体に粘着剤層が付着され、全体がロール状に巻回される。【選択図】図２
0003216036.tif 000002
【実用新案登録請求の範囲】
【請求項１】
所定強度及び所定厚みを備えるとともに耐水性を持つ樹脂シートよりなり、その一方面の全体に粘着剤層が付着されるとともに他方面を粘着剤の非付着面とし、全体がロール状に巻回されてなることを特徴とする貼り付け用シート。
【請求項２】
所定の厚みを持ち内部に織物が埋設されたオレフィンシートよりなり、その一方面の全体に粘着剤付着加工が施されてその加工面上に粘着剤層が付着され、全体がロール状に巻回されてなることを特徴とする貼り付け用シート。
【請求項３】
所定の厚みを持ち内部に織物が埋設され、一方面側を塩化ビニール樹脂とし他方面側をオレフィン樹脂とし、前記一方面の全体に粘着剤層が付着され、全体がロール状に巻回されてなることを特徴とする貼り付け用シート。
【考案の詳細な説明】
【技術分野】
【０００１】  この考案は、各種のシートやウイング車天井センター部の漏水補修、また家屋等の隙間や小穴を塞ぐように用いる貼り付け用シートに関する。
【背景技術】
【０００２】  屋外で使用される各種シートが破れた際に使用される補修用の貼り付け用シートは、シートの一方面に粘着剤層を介して離型紙が貼り付けられており、この離型紙が剥がされて破れ部分に貼り付けられることで使用されている。また、家屋等において隙間や小穴が存在すると、そこから雨水が流れ込んだり虫や小動物が侵入したりするので、そのような場合にも上記の貼り付け用シートが隙間や小穴を封鎖するように貼り付け使用されることが考えられる。
【考案の概要】
【考案が解決しようとする課題】
【０００３】  しかしながら、上記従来の貼り付け用シートは、使用時に離型紙を剥がして貼り付けなければならないのでその貼り付け作業に手間がかかり、また、剥がした離型紙の処分にも手間がかかった。【０００４】  この考案は上記の事情に鑑みて行ったもので、離型紙を剥がすことなく貼り付け使用が容易に行われる貼り付け用シートを提供することを目的とする。
【課題を解決するための手段】
【０００５】  この考案では、所定強度及び所定厚みを備えるとともに耐水性を持つ樹脂シートよりなり、その一方面の全体に粘着剤層が付着されるとともに他方面を粘着剤の非付着面とし、全体がロール状に巻回されてなることを特徴とする貼り付け用シートを提供する。【０００６】  上記構成の貼り付け用シートは、ロール状に巻回しても他方面を粘着剤の非付着面としているので他方面に一方面の粘着剤層の粘着剤が付着することがなく、これにより粘着剤層を覆うための離型紙を省略でき、離型紙が無いことで貼り付け使用が容易に行われる。貼り付け用シートは所定強度及び所定厚みを備えるとともに耐水性を持つ樹脂シートよりなることで、戸外で使用される各種シートの破れ部分の補修に好適に用いられる。また、家屋等の隙間や小穴の封鎖を行うのにも好適に用いられる。【０００７】  さらに、この考案では、所定の厚みを持ち内部に織物が埋設されたオレフィン樹脂シートよりなり、その一方面の全体に粘着剤付着加工が施されてその加工面上に粘着剤が付着され、全体がロール状に巻回されてなることを特徴とする貼り付け用シートを提供する。【０００８】  上記構成の貼り付け用シートは、粘着剤が付着しないオレフィン樹脂シートでありながら粘着剤付着加工が施されることで一方面に粘着剤が塗布されている。ロール状に巻回してもその一方面の粘着剤はオレフィン樹脂シートを使用していることで他方面に付着することがなく、これにより粘着剤層を覆うための離型紙を省略でき、離型紙が無いことで破れ部分への貼り付け使用が容易に行われる。貼り付け用シートは所定の厚みを持ち内部に織物が埋設されたオレフィン樹脂シートよりなることで、戸外で使用される各種シートの破れ部分の補修に好適に用いられ、また、家屋等の隙間や小穴の封鎖を行うのにも好適に用いられる。オレフィン樹脂シートとしては、ＥＶＡ樹脂（エチレン−酢酸ビニル共重合樹脂）、ポリエチレン樹脂、ポリプロピレン樹脂よりなるものが適宜用いられる。【０００９】  さらに、この考案では、所定の厚みを持ち内部に織物が埋設され、一方面側を塩化ビニール樹脂とし他方面側をオレフィン樹脂とし、前記一方面の全体に粘着剤層が付着され、全体がロール状に巻回されてなることを特徴とする貼り付け用シートを提供する。【００１０】  上記構成の貼り付け用シートは、粘着剤が付着可能な塩化ビニール樹脂面である一方面に粘着剤が塗布されているが、ロール状に巻回してもその粘着剤は粘着剤が付着しないオレフィン樹脂面である他方面に付着することがなく、これにより粘着剤層を覆うための離型紙を省略でき、離型紙が無いことで破れ部分への貼り付け使用が容易に行われる。貼り付け用シートは所定の厚みを持ち内部に織物が埋設され、一方面側を塩化ビニール樹脂とし他方面側をオレフィン樹脂としていることで、戸外で使用される各種シートの破れ部分の補修に好適に用いられ、また、家屋等の隙間や小穴の封鎖を行うのにも好適に用いられる。オレフィン樹脂としては、ＥＶＡ樹脂（エチレン−酢酸ビニル共重合樹脂）、ポリエチレン樹脂、ポリプロピレン樹脂等適宜のものが用いられる。
【考案の効果】
【００１１】  この考案によれば、離型紙を剥がすことなく貼り付け使用が容易に行われる貼り付け用シートが得られ、これによりシートの補修作業や家屋等の隙間や小穴の封鎖作業が効率良く行われる。この考案の貼り付け用シートは耐候性、耐水性に優れることで、戸外において好適に使用される。
【図面の簡単な説明】
【００１２】
【図１】  この考案の貼り付け用シートの実施形態の外観斜視図
【図２】  この考案の貼り付け用シートの実施形態の部分断面図
【図３】  この考案の貼り付け用シートの他の実施形態の部分断面図
【図４】  この考案の貼り付け用シートの実施形態の使用説明図
【図５】  この考案の貼り付け用シートの実施形態の使用説明図
【考案の好ましい実施形態】
【００１３】  図１は貼り付け用シートの実施形態の外観斜視図、図２は同部分断面構成図である。貼り付け用シート１は、その幅を１３ｃｍ〜１００ｃｍ、長さを１ｍ〜５０ｍとし、全体がロール状に巻回されている。
【００１４】  貼り付け用シート１は全体がポリプロピレン製のシート本体２の一方面１０全体に微細な凹凸部４が設けられ、その上面に粘着剤層６が付設されて構成されている。ホリプロピレン製のシート本体２面には粘着剤が付着しないが、微細な凹凸部４があることで粘着剤層６がその凹凸部４に係止保持されて一方面に粘着剤層６が付設されている。このような構成により、貼り付け用シート１はロール状に巻回され状態において、シート本体２の他方面１１に一方面１０の粘着剤層６の粘着剤が付着しない。貼り付け用シート１は粘着剤層６が他方面１１に密着状態となってそのロール状形態が維持される。
【００１５】  シート本体２はその全体厚みが０．３ｍｍ〜１．０ｍｍとされ、内部にポリエステル繊維等の織物９が埋設されている。シート本体２は織物９がポリプロピレン樹脂液にディッピングされることで、また、織物９の両面にポリプロピレン樹脂液がコーティングされることで、また、織物９の両面にポリプロピレン樹脂シートがラミネートされることで作成されている。シート本体２の一方面１０の微細な凹凸部４は機械的もしくは化学的なエンボス加工によって形成されている。粘着剤層６はアクリル樹脂溶液が塗布されることで設けられている。
【００１６】  上記貼り付け用シート１は、使用現場において粘着剤層６と他方面１１との密着状態が離脱されることで巻回が解かれ、適宜幅、適宜長さに裁断されその粘着剤層６で貼り付けられて使用される。
【００１７】  貼り付け用シート１はシート本体２の全体厚みが大きいとともにポリプロピレン製であることで防水性、耐候性を有し、かつ、織物９が埋設されていて剛性にも優れることで、戸外で好適に用いられる。使用に際して離型紙を剥がす手間が省けるとともにその離型紙の処分をする必要がないので、作業効率が格段に向上される。また、巻回を解きながら貼り付けていけることで、所望部位に沿って位置合わせしながら貼り付け用シート１を容易に貼り付けていくことができる利点もある。
【００１８】  図３は貼り付け用シートの他の実施形態の部分断面構成図である。貼り付け用シート１０１は、その幅を１３ｃｍ〜１００ｃｍ、長さを１ｍ〜５０ｍとし、図１に示すものと同様に全体がロール状に巻回されている。
【００１９】  貼り付け用シート１０１は、シート本体１０２の一方面側をポリプロピレン樹脂層１０３とし他方面側を塩化ビニール樹脂層１０４とし、他方面の全体に粘着剤層１０６が付設されている。シート本体１０１はその全体厚みが０．３ｍｍ〜１．０ｍｍとされ、ポリプロピレン樹脂層１０３と塩化ビニール樹脂層１０４との間にポリエステル繊維等の織物１０９が埋設されている。シート本体１０２は織物１０９の両面にポリエチレン樹脂シートと塩化ビニール樹脂シートとがラミネートされることで作成されている。
【００２０】  貼り付け用シート１０１は、シート本体１０２がその一方面側をポリプロピレン樹脂層１０３としているのでその表面に塩化ビニール樹脂層１０４の粘着剤層１０６の粘着剤が付着しないことでロール状に巻回され、その際には貼り付け用シート１０１は粘着剤層１０６がポリプロピレン樹脂層１０３面に密着状態となってそのロール状形態が維持される。使用現場において粘着剤層１０６とポリプロピレン樹脂層１０３面との密着状態が離脱されることで巻回が解かれ、適宜幅、適宜長さに裁断されその粘着剤層１０６で貼り付けられて使用される。
【００２１】  貼り付け用シート１０１はシート本体１０２が全体厚みがと大きいとともにポリプロピレン樹脂層１０３と塩化ビニール樹脂層１０４との２層構造であって防水性、耐候性を有し、かつ、織物１０９が埋設されていることで剛性にも優れることで、戸外で好適に用いられる。使用に際し離型紙を剥がす手間が省けるとともにその離型紙の処分をする必要がないので、作業効率が格段に向上される。また、巻回を解きながら貼り付けていけることで、所望部位に沿って位置合わせしながら貼り付け用シート１０１を容易に貼り付けていくことができる利点もある。
【００２２】  上記それぞれの実施形態の貼り付け用シート１、１０１は、その貼り付け使用に際し、貼り付けスペースの大きさに対応して、図４、図５に示すように、順次複数枚のものを粘着剤層６、１０６で縁部を貼り付け重ねる状態とし、その全体高さ、全体幅を大きくして使用することができる。
【符号の説明】
【００２３】１  貼り付け用シート
２  シート本体
６  粘着剤層
【図１】
0003216036.tif 000003
【図２】
0003216036.tif 000004
【図３】
0003216036.tif 000005
【図４】
0003216036.tif 000006
【図５】
0003216036.tif 000007